(57)【要約】【課題】  画素ごとに指向性画像の透過光が大きく拡がらないようにすることによって、立体画像における輝度ムラの発生を防ぐ。【解決手段】  本発明に係る立体画像表示装置１は、複数の視点から観察した表示対象物の指向性画像を蓄積するように構成されている指向性画像蓄積部１１と、所定規則によって指向性画像の各画素を並べ変えることによって合成画像を生成するように構成されている合成画像生成部１２と、合成画像を表示するように構成されている合成画像表示部１３と、合成画像表示部１３に表示された合成画像の各画素を透過した光の進行方向を決定するように構成されている指向性方向決定部１４とを具備している。合成画像表示部１３における各画素の形状は、指向性方向決定部１４の中心軸１４Ａと平行な辺を有する矩形である。【選択図】  図３
2007017635.tif 000002
【特許請求の範囲】
【請求項１】
表示対象物を立体画像として表示する立体画像表示装置であって、
複数の視点から観察した前記表示対象物の指向性画像を蓄積するように構成されている指向性画像蓄積部と、
所定規則によって前記指向性画像の各画素を並べ変えることによって合成画像を生成するように構成されている合成画像生成部と、
前記合成画像を表示するように構成されている合成画像表示部と、
前記合成画像表示部に表示された合成画像の各画素を透過した光の進行方向を決定するように構成されている指向性方向決定部とを具備しており、
前記合成画像表示部における前記各画素の開口形状は、前記指向性方向決定部における中心軸と平行な辺を有する矩形であることを特徴とする立体画像表示装置。
【請求項２】
前記矩形は、平行四辺形であることを特徴とする請求項１に記載の立体画像表示装置。
【請求項３】
前記指向性方向決定部は、レンチキュラーシートによって構成されており、
前記指向性方向決定部における中心軸は、前記レンチキュラーシートを構成するシリンドリカルレンズの中心軸であることを特徴とする請求項１又は２に記載の立体画像表示装置。
【請求項４】
表示対象物を立体画像として表示する立体画像表示方法であって、
複数の視点から観察した前記表示対象物の指向性画像を蓄積するように構成されている指向性画像蓄積部から、所定の表示対象物の指向性画像を抽出する工程と、
所定規則によって、前記所定の表示対象物の指向性画像の各画素を並べ変えることによって合成画像を生成する工程と、
前記合成画像を２次元画像表示装置に表示する工程と、
前記２次元画像表示装置に表示された前記合成画像の各画素を透過した光が、レンチキュラーシートを構成するシリンドリカルレンズを介して進む工程とを有しており、
前記各画素の開口形状は、前記シリンドリカルレンズの中心軸と平行な辺を有する矩形であることを特徴とする立体画像表示方法。
【発明の詳細な説明】
【技術分野】
【０００１】
本発明は、表示対象物を立体画像として表示する立体画像表示装置及び立体画像表示方法に関する。
【背景技術】
【０００２】
従来、表示対象物を立体画像として表示する技術として「ステレオ視方式」が知られている。かかるステレオ視方式は、スリット（パララックスバリア）等を利用して、観察者の左右の目に異なる画像を提示し、両眼視差によって当該観察者に立体を知覚させる方式である。
【０００３】
かかるステレオ視方式では、観察者の左右の目にそれぞれ整合した画像が入る（見える）ようにする必要があるため、立体画像を表示することができる視点位置が固定されてしまうため、観察者が頭を動かした場合であっても立体を知覚することができるという「運動視差」を実現できない。
【０００４】
かかる運動視差を実現するために、従来の単一視点のステレオ視方式を、複数視点のステレオ視方式に拡張する技術が知られている。
【０００５】
しかしながら、例えば、パララックスバリア方式では、開口部が縦ストライプ形状であるため、当該パララックスバリア方式を多視点に応用すると、水平方向の解像度が劣化してしまうという問題点があった。
【０００６】
かかる問題点を解決するために、階段状に開口部を持つ「斜めバリア方式」或いは「レンチキュラーシートを斜めに貼り付けた方式」を採用して、複数の視点から観察した画像を、水平方向のみならず垂直方向にも分散させることで、水平方向の解像度を維持しつつ、複数視点のステレオ視方式を実現する表示装置が提案されている（特許文献１参照）。
【０００７】
一方、人間の立体知覚には、両眼視差、ピント調節、輻輳、運動視差の４つの要因が存在する。
【０００８】
従来の立体画像表示方式では、両眼視差のみを利用しているため、両眼視差により知覚される奥行き感及び目のピント調節の位置が異なることに起因する眼疲労等が起きやすいという問題点があった。
【０００９】
そこで、従来のステレオ視方式において、視点の数を十分に多くすることで、立体知覚についての４つの要因を全て満たす立体画像表示が可能となる。
【００１０】
しかしながら、かかるステレオ視方式では、立体知覚できる範囲（視域）は、左右の眼に視点画像が正確に投影される位置（表示装置から特定の距離だけ離れている特定の位置）に限られてしまうという問題点があった。
【００１１】
そこで、このような視域の制約を緩和して表示装置からの距離に影響しないステレオ視方式として、高密度指向性画像提示方式が提案されている（特許文献２参照）。
【００１２】
かかる高密度指向性画像提示方式は、複数の画像発生源（小さな液晶パネル）において、水平位置が一致しないように水平方向及び垂直方向に（すなわち、２次元的に）画像を配置し、複数のアフォーカル光学系で、複数の画像発生源で生成される画像を異なる水平表示角度範囲に平行投影し、垂直方向拡散板で表示角度範囲を垂直方向のみに広げて、全ての画像に共通な垂直表示角度範囲を作ることで、垂直方向の表示方向の違いを解消し、水平方向に表示方向の異なる複数の画像を、重なりを持たせて表示するようにした方式である。
【００１３】
かかる高密度指向性画像提示方式では、光学系が大がかりとなり、小型化が困難であるという問題点があった。
【００１４】
かかる問題点を解決するために、高密度指向性画像提示方式を応用して、薄型画像表示装置で実現したレンチキュラーシートを、アフォーカル光学系として利用し、２次元画像表示装置に斜めに貼付ける方式が提案されている（非特許文献１参照）。かかる方式は、図６に示すように、２次元画像表示装置（例えば、液晶パネル）にレンチキュラーシート１４を傾けて貼り付けることで実現できる。
【特許文献１】米国特許第６０６４４２４号
【特許文献２】特許第３５７６５２１号
【非特許文献１】海老沢及び高木著、「７２指向性画像を表示する薄型三次元ディスプレイ」、３次元画像コンファレンス２００４、１７-２０頁、２００４年
【発明の開示】
【発明が解決しようとする課題】
【００１５】
しかしながら、上述のレンチキュラーシートを２次元画像表示装置に斜めに貼り付ける方式では、２次元画像表示装置に表示される画素の１辺（開口領域の方向）と、レンチキュラーシートを構成するシリンドリカルレンズ（かまぼこ型のレンズ）の曲面の中心軸（中心線）が平行でないために、各画素に入射する光の位置が大きく異なり、各画素を透過した光の進行方向が大きく変わってしまうという問題点があった。
【００１６】
すなわち、上述のレンチキュラーシートを２次元画像表示装置に斜めに貼り付ける方式では、同じ画素を透過した光が、大きく拡がってしまい、輝度値のムラが発生するという問題点があった。
【００１７】
図６乃至図９を参照して、かかる問題点について具体的に説明する。
【００１８】
上述の方式では、図６に示すように、２次元画像表示装置に、１２の視線方向ａ〜ｌに対応する指向性画像の各画素を、所定規則によって並び替えることによって生成された１枚の画像（合成画像）を表示する。
【００１９】
図６の例では、点線で囲まれた部分が、立体画像の１つのピクセル（以下、３Ｄピクセル）に対応し、視線方向ａ〜ｌとして１２方向を有する３Ｄピクセルが表示されることになる。
【００２０】
具体的には、例えば、指向性方向ｃに対応する画素は、３Ｄピクセルの中で、赤（Ｒ）の画素、緑（Ｇ）の画素、青（Ｂ）の画素という３つの画素である。
【００２１】
かかる場合、図７に示すように、レンチキュラーシート１４を構成するシリンドリカルレンズ１４０と各画素（例えば、画素Ａ）との位置関係は、画素Ａの１辺とシリンドリカルレンズ１４０の中心軸１４Ａとの関係が、斜めの位置関係となる（すなわち、画素Ａの１辺とシリンドリカルレンズ１４０の中心軸１４Ａとが平行ではない）。
【００２２】
すなわち、従来の立体画像表示装置では、シリンドリカルレンズ１４０の中心軸１４Ａと画素Ａの中心線とが平行でないため、図８に示すように、画素Ａの開口領域（ｒ１−ｒ２）が広くなり、当該画素の開口領域を透過した光は、シリンドリカルレンズ１４０の異なる位置に入射することになり、図９に示すように、透過光の投影方向が大きく拡がってしまう。
【００２３】
したがって、図９に示すように、画素Ａとシリンドリカルレンズ１４０の中心軸１４Ａとの距離に応じて、画素Ａの開口領域を透過する光量が変わることになり、シリンドリカルレンズ１４０の中心軸１４Ａに垂直な方向において、画素Ａの開口領域内の位置によって輝度が異なる。
【００２４】
そこで、本発明は、以上の点に鑑みてなされたもので、画素ごとに指向性画像の透過光が大きく拡がらないようにすることによって、立体画像における輝度ムラの発生を防ぐことができる立体画像表示装置及び立体画像表示方法を提供することを目的とする。
【課題を解決するための手段】
【００２５】
本発明の第１の特徴は、表示対象物を立体画像として表示する立体画像表示装置であって、複数の視点から観察した前記表示対象物の指向性画像を蓄積するように構成されている指向性画像蓄積部と、所定規則によって前記指向性画像の各画素を並べ変えることによって合成画像を生成するように構成されている合成画像生成部と、前記合成画像を表示するように構成されている合成画像表示部と、前記合成画像表示部に表示された合成画像の各画素を透過した光の進行方向を決定するように構成されている指向性方向決定部とを具備しており、前記合成画像表示部における前記各画素の開口形状が、前記指向性方向決定部の中心軸と平行な辺を有する矩形であることを要旨とする。
【００２６】
本発明の第１の特徴において、前記矩形が、平行四辺形であってもよい。
【００２７】
本発明の第１の特徴において、前記指向性方向決定部が、レンチキュラーシートによって構成されており、前記指向性方向決定部における中心軸が、前記レンチキュラーシートを構成するシリンドリカルレンズの中心軸であっていてもよい。
【００２８】
本発明の第２の特徴は、表示対象物を立体画像として表示する立体画像表示方法であって、複数の視点から観察した前記表示対象物の指向性画像を蓄積するように構成されている指向性画像蓄積部から、所定の表示対象物の指向性画像を抽出する工程と、所定規則によって前記所定の表示対象物の指向性画像の各画素を並べ変えることによって合成画像を生成する工程と、前記合成画像を２次元画像表示装置に表示する工程と、前記２次元画像表示装置に表示された前記合成画像の各画素を透過した光が、レンチキュラーシートを構成するシリンドリカルレンズを介して進む工程とを有しており、前記各画素の開口形状が、前記シリンドリカルレンズの中心軸と平行な辺を有する矩形であることを要旨とする。
【発明の効果】
【００２９】
以上説明したように、本発明によれば、画素ごとに指向性画像の透過光が大きく拡がらないようにすることによって、立体画像における輝度ムラの発生を防ぐことができる立体画像表示装置及び立体画像表示方法を提供することができる。
【発明を実施するための最良の形態】
【００３０】
（本発明の第１の実施形態に係る立体画像表示装置の構成）
図１乃至図４を参照して、本発明の第１の実施形態に係る立体画像表示装置１の構成について説明する。本実施形態に係る立体画像表示装置１は、表示対象物を立体画像として表示するように構成されている。なお、本明細書において、画像とは、静止画及び動画の双方を含むものとする。
【００３１】
図１に示すように、本実施形態に係る立体画像表示装置１は、指向性画像蓄積部１１と、合成画像生成部１２と、合成画像表示部１３と、指向性方向決定部１４とを具備している。
【００３２】
指向性画像蓄積部１１は、複数の視点から観察した表示対象物の指向性画像を蓄積するように構成されている。図２において、「複数の視点から観察した表示対象物の指向性画像」は、それぞれ、複数の視線方向ａ〜ｌに対応するＲ、Ｇ、Ｂの各画素によって構成されている。なお、本明細書において、視線方向、指向性方向、指向性画像の投影方向は、同義であるものとする。
【００３３】
また、指向性画像蓄積部１１は、合成画像生成部１２からの要求に応じて、特定箇所の指向性画像を送信するように構成されている。
【００３４】
合成画像生成部１は、所定規則によって指向性画像の各画素を並べ変えることによって合成画像を生成するように構成されている。
【００３５】
具体的には、図２に示すように、合成画像生成部１２は、１２の視線方向ａ〜ｌに対応する指向性画像の各画素Ｒ、Ｇ、Ｂを、所定規則によって並び替えることによって１枚の合成画像を生成する。
【００３６】
合成画像表示部１３は、合成画像生成部１２によって生成された合成画像を表示するように構成されている。具体的には、合成画像表示部１３は、２次元画像表示装置（例えば、液晶ディスプレイ等）によって構成されている。
【００３７】
図２の例では、３Ｄピクセル（点線で囲まれた部分）に１２の視線方向ａ〜ｌに対応するＲ、Ｇ、Ｂの画素が含まれているため、観察者は、１２の視線方向ａ〜ｌから、表示対象物の立体画像を観察することができる。言い換えると、観察者は、１２の視線方向ａ〜ｌ以外の視線方向からは、表示対象物の立体画像を観察することができない。
【００３８】
したがって、観察者は、各指向性画像の投影方向から合成画像表示部１３を観察すると、当該投影方向の指向性画像のみが観察でき、頭を動かして観察することで、異なる投影方向の指向性画像を観察することができる。
【００３９】
つまり、観察者は、頭を動かすことで、異なる視点からの立体画像を観察することができ、運動視差を実現した立体画像を表示することができる。
【００４０】
指向性方向決定部１４は、合成画像表示部１３に表示された合成画像の各画素（の開口領域）を透過した光の進行方向を決定するように構成されている。
【００４１】
具体的には、指向性方向決定部１４は、図２に示すように、２次元画像表示装置に斜めに貼り付けられたレンチキュラーシートによって構成されている。
【００４２】
本実施形態に係る立体画像表示装置１では、図３に示すように、合成画像表示部１３における各画素の開口形状は、指向性方向決定部１４の中心軸１４Ａと平行な辺を有する矩形（例えば、平行四辺形）である。ここで、指向性方向決定部１４の中心軸１４Ａは、レンチキュラーシート１４を構成する各シリンドリカルレンズ１４０の中心軸１４Ａである。
【００４３】
すなわち、本実施形態に係る立体画像表示装置１では、レンチキュラーシート１４を構成する各シリンドリカルレンズ１４０の焦点距離の位置に、各画素が配置されるように、指向性方向決定部１４及び合成画像表示部１３を構成する。
【００４４】
その結果、画素Ａの開口領域を透過した光は、シリンドリカルレンズ１４０の中心軸１４Ａに水平な方向では、均等に拡散され、シリンドリカルレンズ１４０の中心軸１４Ａに垂直な方向では、平行光として投影されることになる。
【００４５】
ここで、本実施形態に係る立体画像表示装置１では、シリンドリカルレンズ１４０の中心軸１４Ａと画素Ａの中心線とが平行であるため、図４に示すように、画素Ａの開口領域（ｒ１−ｒ２）が狭くなり、当該画素の開口領域を透過した光は、シリンドリカルレンズ１４０のほとんど同じ位置に入射することになり、図５に示すように、透過光の投影方向が大きく拡がることない。
【００４６】
その結果、本実施形態に係る立体画像表示装置１では、図５に示すように、画素Ａの開口領域を透過した光は、輝度変化が略矩形形状になり、輝度ムラが発生しなくなる。
【００４７】
（本発明の第１の実施形態に係る立体画像表示装置の作用・効果）
本発明の第１の実施形態に係る立体画像表示装置１によれば、合成画像表示部１３上の各画素が、レンチキュラーシート１４を構成する各シリンドリカルレンズ１４０に対して平行に配置されることによって、当該画素を透過した光は、ほとんど同じ方向に進むことになる。
【００４８】
また、本発明の第１の実施形態に係る立体画像表示装置１によれば、各画素の開口形状が、各シリンドリカルレンズ１４０の中心軸１４Ａと平行であるため、各画素を透過した光が、当該中心軸１４Ａに垂直な方向において、ほとんど輝度の偏りが無くなり、輝度ムラもなくすことができる。
【図面の簡単な説明】
【００４９】
【図１】本発明の第１の実施形態に係る立体画像表示装置の機能ブロック図である。
【図２】本発明の第１の実施形態に係る立体画像表示装置のレンチキュラーシートの各シリンドリカルレンズと各画素との位置関係を説明するための図である。
【図３】本発明の第１の実施形態に係る立体画像表示装置のレンチキュラーシートの各シリンドリカルレンズと各画素との位置関係を説明するための図である。
【図４】本発明の第１の実施形態に係る立体画像表示装置のレンチキュラーシートの各シリンドリカルレンズと各画素との位置関係を説明するための図である。
【図５】本発明の第１の実施形態に係る立体画像表示装置のレンチキュラーシートの各シリンドリカルレンズと各画素との位置関係を説明するための図である。
【図６】従来の立体画像表示装置のレンチキュラーシートの各シリンドリカルレンズと各画素との位置関係を説明するための図である。
【図７】従来の立体画像表示装置のレンチキュラーシートの各シリンドリカルレンズと各画素との位置関係を説明するための図である。
【図８】従来の立体画像表示装置のレンチキュラーシートの各シリンドリカルレンズと各画素との位置関係を説明するための図である。
【図９】従来の立体画像表示装置のレンチキュラーシートの各シリンドリカルレンズと各画素との位置関係を説明するための図である。
【符号の説明】
【００５０】
１…立体画像表示装置
１１…指向性画像蓄積部
１２…合成画像生成部
１３…合成画像表示部
１４…指向性方向決定部
【図１】
2007017635.tif 000003
【図２】
2007017635.tif 000004
【図３】
2007017635.tif 000005
【図４】
2007017635.tif 000006
【図５】
2007017635.tif 000007
【図６】
2007017635.tif 000008
【図７】
2007017635.tif 000009
【図８】
2007017635.tif 000010
【図９】
2007017635.tif 000011